(57)【特許請求の範囲】
【請求項１】
記録媒体が取り出し可能に挿入され、所定位置に挿入された前記記録媒体が所定量押し込まれることで前記記録媒体を前記記録媒体スロットから突出させる押し出す機構を有する記録媒体スロットと、
前記記録媒体スロットに隣り合って設けられ、バッテリが取り出し可能に収容されるバッテリ室と、を備え、
前記バッテリ室に収容される前記バッテリには、前記バッテリ室に対する取り出し方向での端面と挿入及び取り出し方向に延びる側面との間に凹部が形成され、
前記バッテリは、前記凹部が前記記録媒体スロット側に位置する向きで前記バッテリ室に収容され、
前記凹部の幅は、前記所定位置に挿入された前記記録媒体を指で押し込むために必要な幅に設定され、
前記凹部の深さは、前記所定量と等しいか前記所定量よりも大きい深さに設定されることを特徴とする電子機器。
【請求項２】
前記バッテリ室に収容された前記バッテリをロックするロック機構を有し、
前記ロック機構は、前記凹部に係合することを特徴とする請求項１に記載の電子機器。
【請求項３】
前記バッテリ室を覆う蓋部材を有し、
前記蓋部材は、前記バッテリ室を覆った状態で前記バッテリ室に収容された前記バッテリの前記凹部の内側に入り込む凸部を有することを特徴とする請求項１または２に記載の電子機器。
【請求項４】
記録媒体が取り出し可能に挿入され、所定位置に挿入された前記記録媒体が所定量押し込まれることで前記記録媒体を突出させる押し出す機構を有する記録媒体スロットと、前記記録媒体スロットに隣り合って設けられたバッテリ室と、を備える電子機器に用いられるバッテリであって、
前記バッテリ室に対する取り出し方向での端面と挿入及び取り出し方向に延びる側面との間に凹部を有し、
前記凹部が前記記録媒体スロット側に位置する向きで前記バッテリ室に収容され、
前記凹部の幅は、前記所定位置に挿入された前記記録媒体を指で押し込むために必要な幅に設定され、
前記凹部の深さは、前記所定量と等しいか前記所定量よりも大きい深さに設定されることを特徴とするバッテリ。
【請求項５】
前記バッテリ室は、前記バッテリ室に収容された前記バッテリをロックするロック機構を有し、
前記凹部に、前記ロック機構が係合することを特徴とする請求項４に記載のバッテリ。
【発明の詳細な説明】
【技術分野】
【０００１】
本発明は、バッテリ及び記録媒体の着脱が可能な電子機器、及び該電子機器に装着されるバッテリに関する。
【背景技術】
【０００２】
ビデオカメラ、デジタルスチルカメラ等の撮像装置に代表される電子機器では、着脱可能な充電式バッテリが用いられる。さらに、電子機器には、カード型記録媒体の着脱が可能なものが多い。
【０００３】
このような電子機器では、小型化に有利なレイアウトとして、バッテリを収納するバッテリ室と記録媒体を収納する記録媒体スロット（カードスロット）とが互いに隣り合うように配置されたレイアウトが採用されることが多い。
【０００４】
ただし、バッテリ室と記録媒体スロットとが隣接していると、これらに収納されたバッテリと記録媒体との隙間が狭く、特に薄いカード型記録媒体の挿抜が困難になる。
【０００５】
特許文献１には、カード型記録媒体の挿抜を容易とした電子機器が開示されている。この電子機器では、カメラに取り付けられたストラップにサル環部を設け、そのサル環部に、バッテリ室の蓋を開くための凸形状部と、記録媒体を挟んでカードスロットに対して挿抜するための凹形状部（溝部）とが形成されている。
【特許文献１】特開２００６−７１９８８号公報
【発明の開示】
【発明が解決しようとする課題】
【０００６】
しかしながら、特許文献１にて開示された電子機器では、該電子機器に特殊な形状を有するサル環部を備えたストラップ、つまりは別部材が取り付けられていなければ、記録媒体の挿抜を容易に行うことができない。
【０００７】
本発明は、バッテリの形状を工夫することで、記録媒体の挿抜を容易とすることができる電子機器を提供する。
【課題を解決するための手段】
【０００８】
本発明の一側面としての電子機器は、記録媒体が取り出し可能に挿入され、所定位置に挿入された前記記録媒体が所定量押し込まれることで前記記録媒体を前記記録媒体スロットから突出させる押し出す機構を有する記録媒体スロットと、前記記録媒体スロットに隣り合って設けられ、バッテリが取り出し可能に収容されるバッテリ室と、を備え、前記バッテリ室に収容される前記バッテリには、前記バッテリ室に対する取り出し方向での端面と挿入及び取り出し方向に延びる側面との間に凹部が形成され、前記バッテリは、前記凹部が前記記録媒体スロット側に位置する向きで前記バッテリ室に収容され、前記凹部の幅は、前記所定位置に挿入された前記記録媒体を指で押し込むために必要な幅に設定され、前記凹部の深さは、前記所定量と等しいか前記所定量よりも大きい深さに設定されることを特徴とする。
【０００９】
また、本発明の他の一側面としてのバッテリは、記録媒体が取り出し可能に挿入され、所定位置に挿入された前記記録媒体が所定量押し込まれることで前記記録媒体を突出させる押し出す機構を有する記録媒体スロットと、前記記録媒体スロットに隣り合って設けられたバッテリ室と、を備える電子機器に用いられるバッテリであって、前記バッテリ室に対する取り出し方向での端面と挿入及び取り出し方向に延びる側面との間に凹部を有し、前記凹部が前記記録媒体スロット側に位置する向きで前記バッテリ室に収容され、前記凹部の幅は、前記所定位置に挿入された前記記録媒体を指で押し込むために必要な幅に設定され、前記凹部の深さは、前記所定量と等しいか前記所定量よりも大きい深さに設定されることを特徴とする。
【発明の効果】
【００１０】
本発明によれば、バッテリに設けられた凹部によって記録媒体の挿抜操作を行うためのスペースを作り出すことができるので、バッテリ（バッテリ室）に隣接した記録媒体スロットへの記録媒体の挿抜が容易な電子機器及びバッテリを実現することができる。
【発明を実施するための最良の形態】
【００１１】
以下、本発明の好ましい実施例について図面を参照しながら説明する。
【実施例１】
【００１２】
図１及び図２には、本発明の実施例１である電子機器としてのビデオカメラ（撮像装置）の外観を示している。
【００１３】
図１において、ビデオカメラ本体１０１の被写体側の部分には、撮像レンズ１０２と、録音マイク１０３と、主として静止画撮像時に使用されるフラッシュ発光部１０４とが設けられている。
【００１４】
１０５は液晶表示パネルを内側に備えたディスプレイ部である。ディスプレイ部１０５は、ビデオカメラ本体１０１に設けられた軸１０１ｂを中心として、図中の矢印方向に回転（開閉）可能である。
【００１５】
図２において、ビデオカメラ本体１０１の内部には、バッテリ室１０６とカードスロット（記録媒体スロット）１０７が互いに隣り合って（隣接して）設けられている。ビデオカメラ本体１０１の上面には、バッテリ室１０６及びカードスロット１０７へのバッテリ及びカード型記録媒体の挿抜を可能とするための開口が形成されている。該開口（つまりはバッテリ室１０６及びカードスロット１０７）は、開閉可能な蓋部材１０８によって覆われる。
【００１６】
また、バッテリ室１０６の上部には、挿入されたバッテリの飛び出しを防止するために該バッテリをロックするロック機構１０９が設けられている。ロック機構１０９は、バッテリ室１０６の底面に取り付けられているポップアップバネ（図示せず）がバッテリを取り出し方向に突出させる力に抗してバッテリを押さえ込む。ロック機構１０９は、バッテリ室１０６に収容（装填）されたバッテリの上面に係合してその飛び出しを防止する。
【００１７】
図３には、バッテリ室１０６及びカードスロット１０７にバッテリ１１０及びカード型記録媒体１１１が収容（挿入）されている様子を示している。
【００１８】
バッテリ１１０は、ビデオカメラ本体１０１に電源を供給するための電源であり、本実施例では、充電可能な二次バッテリを用いている。
【００１９】
カード型記録媒体（以下、単に記録媒体という）１１１は、ビデオカメラによって取得された画像や音声を記録する半導体メモリにより構成されている。
【００２０】
バッテリ室１０６とカードスロット１０７が互いに隣り合って配置されているため、これらに収容（挿入）されたバッテリ１１０と記録媒体１１１も隣り合って配置される。
【００２１】
バッテリ１１０におけるバッテリ室１０６に対する取り出し方向での端面（以下、上面という）１１０ｂと挿入及び取り出し方向に延びる側面１１０ｃとの間の角部には、凹部１１０ａが形成されている。該凹部１１０ａは、上面１１０ｂの一辺に平行にバッテリ１１０の幅の一部において延び、上面１１０ｂ側及び側面１１０ｃ側が開放された段差形状を有する。すなわち、凹部１１０ａは、段差部と言い換えることもできる。
【００２２】
上述したように、ロック機構１０９は、バッテリ室１０６に収容（装填）されたバッテリ１１０の上面１１０ｂに係合してその飛び出しを防止する。
【００２３】
図４には、本実施例におけるバッテリ１１０の内部構造を示している。バッテリ１１０の内部には、バッテリセル４０１と、バッテリ１１０の残量表示情報等の制御を行う基板４０２と、基板４０２に電気的に接続されたバッテリ接続端子４０３とが設けられている。バッテリセル４０１と基板４０２は、保持部材４０４によって固定されている。
【００２４】
バッテリセル４０１とバッテリ接続端子４０３とでは、その大きさの違いから、並列に配置するとバッテリ１１０が異形状となる。このため、空いたスペースに基板４０２を配置して、バッテリ１１０全体の形状を整えている。
【００２５】
ただし、基板４０２はバッテリセル４０１に比べて小さい（高さが低い）ので、バッテリ１１０における図３中の左上の角部、つまり基板４０２を挟んでバッテリ接続端子４０３とは反対側にスペースが生まれる。このスペースを利用して、左上の角部に凹部１１０ａを形成している。
【００２６】
バッテリ１１０は、凹部１１０ａがカードスロット１０７側に位置する向きでバッテリ室１０６に収容される。
【００２７】
図５には、記録媒体１１１のカードスロット１０７に対する挿抜の様子を示す。カードスロット１０７には、以下のプッシュプッシュ方式のロック機構が設けられている。ロック機構は、図５中の（Ｂ）に示すようにスロット１０７内の最奥位置である押込み位置（２）まで挿入された記録媒体１１１を、スプリング５０１の付勢力により図５中の（Ｃ）に示す所定位置としてのロック位置（３）まで戻してロックする。該ロック機構は、記録媒体１１１がロック位置（３）から押込み位置（２）まで所定量ｈだけ押し込まれることでロックを解除する。これにより、記録媒体１１１は、スプリング５０１の付勢力によってスロット外に向けて押し出される。すなわち、カードスロット１０７は、該スロット１０７に対してロック位置（３）に挿入された記録媒体１１１が所定量押し込まれることで該記録媒体１１１を該スロット外に向けて押し出す機構を有する。
【００２８】
図５中の（Ａ）は、記録媒体１１１が押し出されて突出位置（１）に位置する様子を示す。なお、ここにいう突出位置（１）、押込み位置（２）及びロック位置（３）は、記録媒体１１１の上端の位置を示している。また、ロック位置（３）は、バッテリ室１０６に収容されたバッテリ１１０の上面１１０ｂの位置に略等しく、ロック位置（３）に位置する記録媒体１１１の上部は、バッテリ１１０の凹部１１０ａの底面よりも高い位置にある。
【００２９】
ここで、図６に示すように、バッテリ１１０に設けられた凹部１１０ａのバッテリ室１０６への挿入方向での深さをＤとする。また、凹部１１０ａのバッテリ上面１１０ｂの一辺に平行な方向の長さをＬとする。なお、図６は、バッテリ室１０６及びカードスロット１０７にそれぞれ収容されたバッテリ１１０及び記録媒体１１１が互いに近接（隣接）している様子を示している。
【００３０】
カードスロット１０７に収容された記録媒体１１１のロックを解除するために必要なストロークは、前述した所定量ｈである。このことから、バッテリ１１０の凹部１１０ａの深さＤを、所定量ｈと等しく又は所定量ｈより大きく設定することが好ましい。ただし、カードスロット１０７に収容された記録媒体１１１のロックを解除するために必要な押し込みが指で無理なく可能であれば、凹部１１０ａの深さＤが所定量ｈより若干小さくてもよい。
【００３１】
また、凹部１１０ａの長さＬは、カードスロット１０７に収容された記録媒体１１１の押し込みを指で行うために必要な幅に基づいて設定すればよい。具体的には、人指し指等の１本の指の幅よりも大きければよい。
【００３２】
図７には、カードスロット１０７に対する記録媒体１１１の挿抜操作を行っている様子を示す。前述したように、凹部１１０ａを有するバッテリ１１０は、その凹部１１０ａがカードスロット１０７側（記録媒体スロット側）に位置する向きでバッテリ室１０６内に収容されている。また、カードスロット１０７には、記録媒体１１１が挿入されている。そして、該記録媒体１１１の上部回りには、記録媒体１１１の上部に近接して向かい合った凹部１１０ａによって、人指し指で記録媒体１１１をロック位置（３）から所定量ｈだけ（又は所定量以上）押し込むために十分なスペースが形成されている。このため、カードスロット１０７に隣接したバッテリ室１０６にバッテリ１１０が収容された状態でも、記録媒体１１１をロック位置（３）から押込み位置（２）まで容易に押し込むことができる。したがって、カードスロット１０７に対する記録媒体１１１の挿抜を容易に行うことができる。
【００３３】
なお、本実施例によれば、従来のように別部品を用いることなくカードスロット１０７に対する記録媒体１１１の挿抜を行うことができるので、コストアップを抑えることができる。また、使用者が直接指で記録媒体１１１を押すだけでカードスロット１０７に対する記録媒体１１１の挿抜を行うことができるので、操作方法が分かりやすい。
【実施例２】
【００３４】
図８Ａ及び図８Ｂには、本発明の実施例２であるビデオカメラのバッテリ及び記録媒体周りの構成を示している。図８Ａは、バッテリ１１０がバッテリ室１０６に収納されてロックされた状態を、図８Ｂは、バッテリ１１０をバッテリ室１０６から取り出すためにロックを解除して、バッテリ１１０が突出した状態をそれぞれ示す。
【００３５】
バッテリ１１０の上面１１０ｂと側面１１０ｃとの間の角部には、凹部１１０ａ′が形成されている。該凹部１１０ａ′は、上面１１０ｂの一辺に平行にバッテリ１１０の幅全体に延び、上面１１０ｂ側及び側面１１０ｃ側が開放された段差形状を有する。すなわち、凹部１１０ａ′は、段差部と言い換えることもできる。
【００３６】
バッテリ１１０は、バッテリ室１０６の底面に取り付けられているポップアップバネ（図示せず）によって、常に取り出し方向（飛び出し方向）に付勢されている。
【００３７】
バッテリ１１０の飛び出しを防止するロック機構は、ロック用ノブ８０１を含む。ロック用ノブ８０１は、軸８０２を中心に、バッテリ室１０６に収容されたバッテリ１１０の凹部１１０ａ′の底面の高さにて回転可能である。ロック用ノブ８０１は、トーションスプリング８０３から、図中の矢印Ａ方向への回転付勢力を常に受けている。
【００３８】
図８Ａに示した状態では、ロック用ノブ８０１は、上記回転付勢力によってバッテリ１１０の凹形状１１０ａ′の底面上に回転して該底面に係合している。これにより、ポップアップバネによる飛び出し方向への付勢力に抗してバッテリ１１０を押さえている。
【００３９】
図８Ｂに示した状態では、使用者がロック用ノブ８０１を矢印Ｂ方向に回転させることで、ロック用ノブ８０１と凹部１１０ａ′の底面との係合が外れ、バッテリ１１０はポップアップバネの付勢力によって、バッテリ室１０６から突出する。
【００４０】
本実施例でも、凹部１１０ａ′を有するバッテリ１１０を、その凹部１１０ａ′がカードスロット１０７側に位置する向きでバッテリ室１０６に収容する。これにより、凹部１１０ａ′によって生まれたスペースを利用してカードスロット１０７に対して記録媒体１１１を容易に挿抜することができる。
【００４１】
しかも、凹部１１０ａ′（の底面）に係合するようにロック用ノブ８０１を設けることで、凹部１１０ａ′を利用したロック機構を実現することができる。これにより、実施例１のようにバッテリ１１０の上面１１０ｂとの係合によってバッテリ１１０をロックする場合に比べて、ビデオカメラ本体１０１の高さ方向の小型化を図ることができる。
【実施例３】
【００４２】
図９Ａ及び図９Ｂは、本発明の実施例３であるビデオカメラにおいて、バッテリ室１０６に収容されたバッテリ１１０とカードスロット１０７に挿入（装着）された記録媒体１１１を覆う蓋部材９０１の断面を示す。本実施例では、バッテリ１１０のいわゆる逆挿しを防止するための構成について説明する。ここでは、実施例１で説明したバッテリ１１０を用いて説明するが、実施例２で説明したバッテリ１１０でも同様の作用効果が得られる。
【００４３】
蓋部材９０１は、その裏面に凸部９０１ａを有する。図９Ａに示すように、バッテリ１１０が正しい向きでバッテリ室１０６に収容されている場合には、凸部９０１ａがバッテリ１１０の凹部１１０ａの内側に入り込むことができるので、蓋部材９０１を閉じることができる。
【００４４】
しかし、図９Ｂに示すように、バッテリ１１０をバッテリ室１０６に収容する向きが誤っている場合には、凸部９０１ａがバッテリ１１０の上面１１０ｂと当接するため、蓋部材９０１を完全に閉じることができない。これにより、使用者は、バッテリ１１０の向きが誤っていることを認識することができる。
【００４５】
つまり、凹部１１０ａを有するバッテリ１１０を用い、かつ凸部９０１ａを蓋部材９０１に設けることで、使用者にバッテリ１１０を正しい向きでバッテリ室１０６に収容させることができる。
【００４６】
以上説明した各実施例は代表的な例にすぎず、本発明の実施に際しては、各実施例に対して種々の変形や変更が可能である。
【００４７】
例えば、実施例２において、ロック機構のロック方法は、バッテリ１１０の凹部１１０ａ′を利用する限り変更が可能である。
【図面の簡単な説明】
【００４８】
【図１】本発明の実施例１であるビデオカメラの正面図。
【図２】実施例１のビデオカメラのバッテリ及び記録媒体の装填状態を示す外観斜視図。
【図３】実施例１のビデオカメラのバッテリ及び記録媒体の装填状態を示す拡大図。
【図４】実施例１のバッテリの内部構造を示す断面図。
【図５】実施例１のビデオカメラに対して記録媒体を挿抜する様子を示す断面図。
【図６】実施例１においてバッテリと記録媒体とが近接している様子を示す拡大図。
【図７】実施例１において使用者による記録媒体の挿抜操作を示す拡大図。
【図８Ａ】本発明の実施例２であるビデオカメラにおけるバッテリ室及びカードスロットの斜視図。
【図８Ｂ】実施例２におけるバッテリの突出状態を示すバッテリ室及びカードスロットの斜視図。
【図９Ａ】本発明の実施例３であるビデオカメラにおいてバッテリが正しい向きでバッテリ室に収容された場合に閉じられた蓋部材の断面図。
【図９Ｂ】実施例３において向きを誤ってバッテリがバッテリ室に収容されたときの蓋部材の断面図。
【符号の説明】
【００４９】
１０１  ビデオカメラ本体
１０６  バッテリ室
１０７  カードスロット
１０８  蓋部材
１１０  バッテリ
１１０ａ，１１０ａ′  凹部
１１１  カード型記録媒体
４０１  バッテリセル
４０２  基板
４０３  バッテリ接続端子
８０１  ロック用ノブ
９０１  蓋部材
９０１ａ  凸部
【図４】
0005300259.tif 000002
【図１】
0005300259.tif 000003
【図２】
0005300259.tif 000004
【図３】
0005300259.tif 000005
【図５】
0005300259.tif 000006
【図６】
0005300259.tif 000007
【図７】
0005300259.tif 000008
【図８Ａ】
0005300259.tif 000009
【図８Ｂ】
0005300259.tif 000010
【図９Ａ】
0005300259.tif 000011
【図９Ｂ】
0005300259.tif 000012